(57)【要約】【課題】  レンズの光軸ズレならびにフォーカス調整を無くし、生産性を高めた固体撮像装置を提供する。【解決手段】  固体撮像素子が実装される透明基板の一部をレンズとして形成し、部品点数を削減する。この構成によればレンズ１０ａは固体撮像素子２の受光面２ａに直接実装されることになるため、レンズ１０ａの光軸精度ならびにフォーカス精度は、主として透明基板１０裏面（固体撮像素子実装面）の平坦度、固体撮像素子２表面（受光面）の平坦度、及び固体撮像素子の実装精度に依存するようになり、少なくとも従来のようにレンズを筐体に組み込む際のレンズの傾きやレンズおよび筐体自体の寸法精度による影響はなくなる。【選択図】  図１
2006013791.tif 000002
【特許請求の範囲】
【請求項１】
少なくとも、
一方の面に導電パターンが形成された透明基板と、
当該透明基板の導電パターンが形成された面に受光面を対向させて実装された固体撮像素子と、
前記透明基板および前記固体撮像素子を収納する筐体と、
当該筐体内部の前記固体撮像素子の受光面と対向する位置に配置されたレンズと、
で構成される固体撮像装置であって、
前記透明基板と前記レンズとは一体的に形成された１つの光学部材として構成されていることを特徴とする固体撮像装置。
【発明の詳細な説明】
【技術分野】
【０００１】
本発明は、固体撮像装置に関するものである。
【背景技術】
【０００２】
図４は、従来の固体撮像装置の概略的な構成を示す断面図であり、以下、図を参照して従来の固体撮像装置について説明する。ガラス等からなる透明基板１の一方の面（裏面）に固体撮像素子２が受光面２ａを対向させてフェースダウン（フリップチップ）実装されており、Ａｕからなるメッキバンプ等（不図示）を介して透明基板１の裏面に形成された導電パターン（不図示）との電気的な接続がなされている。導電パターンの固体撮像素子２が接続された側とは別の端部には、導電パターンの数に応じた金属製のリード３が接続されてその一部がレンズホルダ（筐体）４の外部に延出されており、当該リード３を介して固体撮像素子２に対する電気信号の入出力がなされる。尚、このリード３は可撓性基板（ＦＰＣ）と置き換えて構成されることもあり得る。
【０００３】
固体撮像素子２の受光面２ａと対向する筐体４の部位は、受光面２ａに外部から光を入射させるための入光領域として開口されており、その光路中には外部からの光を集光するレンズ５（図では凸レンズ）が配置されている。レンズ５は、その周縁部が筐体４の一部にて支持され接着剤により固定されている。
【０００４】
係る従来の固体撮像装置は、以下の工程により製造される。まず、ガラス等からなる透明基板１にスパッタリング法等を用いてＡｕ、Ｃｕ、Ａｌ等からなる導電パターン（不図示）を形成し、その上にＡｕからなるメッキバンプ（不図示）を形成する。次に固体撮像素子２の受光面２ａ側の平面上に設けられた外部出力端子（電極）（不図示）にＡｕからなるメッキバンプ（不図示）を形成する。その後、固体撮像素子２の受光面２ａと透明基板１の導電パターン形成面とが向かい合わせになるようにして固体撮像素子２を透明基板１上にフェースダウン（フリップチップ）実装し、固体撮像素子２の側面および裏面に熱硬化型樹脂６等を塗布して硬化させる。そして、以上のようにして固体撮像素子２が実装された透明基板１を金属製のリード３（リードパターン）上に位置決め載置し、超音波接続工法により透明基板１上の導電パターンとリード３とを接合させる。次にリード３が接続された透明基板１をレンズホルダ４の形状をした金型（不図示）に入れ込んで樹脂によるインサートモールド成型を行う。最後にレンズホルダ４の上端部に設けられた凹部４ａにレンズを落とし込んで接着剤等により固定し、固体撮像装置の製造が完了する。（例えば、特許文献１参照）
【０００５】
尚、以上の製造工程において、通常は生産性を考慮して複数のリードパターンが形成された基板（リードフレーム）上に固体撮像装置を複数個同時に形成して最後に個々に切り離す。
【特許文献１】特開２００２−６２４６２号公報
【発明の開示】
【発明が解決しようとする課題】
【０００６】
しかし、このような従来の固体撮像装置においては、製造する際にレンズを筐体上端部の凹部に落とし込んで固定するため、その際に傾けて落とし込んでしまうと固体撮像素子の受光面に対するレンズの光軸がずれる恐れがあった。レンズの光軸がずれると当然ながら良好な画像は得られない。また、製造時の工程数が多く複雑であるため製造時間が掛かり生産性が悪かった。
【０００７】
また、レンズや筐体自体の寸法精度（加工精度）によってはレンズの傾き、即ち光軸ズレが必然的に生じてしまったり、製造後に固体撮像素子に対するレンズのフォーカス調整をしなければならなかった。
【０００８】
本発明は、以上の課題に鑑みてなされたものであり、レンズの光軸ズレおよび製造後のフォーカス調整を無くし、更には製造工程の簡略化により生産性の向上を図ることが可能な固体撮像装置を提供することを目的とする。
【課題を解決するための手段】
【０００９】
少なくとも、
一方の面に導電パターンが形成された透明基板と、
当該透明基板の導電パターンが形成された面に受光面を対向させて実装された固体撮像素子と、
前記透明基板および前記固体撮像素子を収納する筐体と、
当該筐体内部の前記固体撮像素子の受光面と対向する位置に配置されたレンズと、
で構成される固体撮像装置であって、
前記透明基板と前記レンズとは一体的に形成された１つの光学部材として構成されている固体撮像装置とする。
【発明の効果】
【００１０】
本発明の固体撮像装置では、固体撮像素子が実装される透明基板に凹または凸形状の加工を施してレンズとしての機能を持たせているため、従来のようにレンズを別部材として用いる必要がなくなり、部品点数の削減、ならびにそれに伴う製造工程の簡略化が可能となる。また、従来ではレンズを筐体の一部にて支持する構成のため、筐体のレンズを支持する部分での製造時におけるレンズの傾きや、レンズ自体の寸法精度、更にはその部分における筐体自体の寸法精度によりレンズの光軸ズレが起こる可能性があったのに対し、本発明ではレンズを一体化した透明基板（光学部材）に直接固体撮像素子を実装しているため、固体撮像素子の受光面に対するレンズの光軸合わせは、主として透明基板裏面（固体撮像素子実装面）の平坦度、固体撮像素子表面（受光面側）の平坦度、及び固体撮像素子の実装精度に依存し、少なくとも従来のようにレンズと筐体の寸法精度による光軸ズレはなくなる。更には、そのレンズの光軸方向における実装精度の高さから、固体撮像装置組み立て後に行うレンズのフォーカス調整も不要となる。
【発明を実施するための最良の形態】
【００１１】
図１は本発明による固体撮像装置の一実施形態を示す断面図、図２は透明基板を固体撮像素子実装面側から見た斜視図、図３は透明基板に固体撮像素子をフェースダウン実装した状態を示す側面図である。本実施形態では、固体撮像素子２が実装される透明基板１０の一部に曲面加工が施してあり、固体撮像素子２がフェースダウン（フリップチップ）実装される側とは反対の面を凸レンズ１０ａとして一体的に形成してある。係る透明基板１０の裏面（固体撮像素子実装面）には、従来の如く導電パターン１１が形成されており、固体撮像素子２の受光面２ａ側に設けられた電極（不図示）と金属製のメッキバンプ１２とＡＣＦ（異方性導電フィルム）１３を介して接続されている。導電パターンの一端部には可撓性基板（ＦＰＣ）１４が接続されており、筐体１５の外部に延出されて固体撮像素子２に対する電気信号の入出力がなされる。
【００１２】
上記の透明基板１０は、例えば透明樹脂やセラミック等からなり、ＭＩＤ成形（立体成形）により一方の面を滑らかな曲面の凸レンズ１０ａとして形成してあり、それと対向する側の面は平坦な平板状に形成されて表面にスパッタリング法等を用いてＡｕ、Ｃｕ、Ａｌ等からなる導電パターン１１が形成してある。
【００１３】
固体撮像素子２表面の電極と透明基板１０裏面の導電パターン１１との接続は、例えばＡｕからなるメッキバンプ１２によりなされ、透明基板１０裏面（導電パターン形成面）に添着されたＡＣＦ（異方性導電フィルム）を介して加熱により固体撮像素子２と透明基板１０との接着固定がなされている。尚、ＡＣＦの中央部は、固体撮像素子２の受光面２ａに入射する光を妨げないように開口されている。
【００１４】
固体撮像素子２が実装された透明基板１０は、筐体１５内部に組み込まれ接着剤により固定されている。従来ではレンズ５を別部材として筐体４の凹部４ａに組み込む必要があったのに対し、本発明の固体撮像装置では透明基板１０にレンズ１０ａが一体化されているためレンズの組み込み工程は不要である。従って、レンズを組み込む際に生じるレンズの傾きや、レンズ及び筐体自体の寸法精度に起因するレンズの光軸ズレが起こる心配はない。
【００１５】
また、従来ではレンズ５を筐体４の一部（凹部４ａ）に組み込んでおり、筐体４やレンズ５自体の寸法精度によっては固体撮像素子２の受光面２ａに対してレンズ５の焦点距離が変化するため、フォーカス調整機構を設けて固体撮像装置組み立て後にレンズ５のフォーカス調整を行う必要があったのに対し、本発明ではレンズ１０ａを直接固体撮像素子２上に実装する形となり、そのフォーカス精度は主として透明基板１０裏面（固体撮像素子実装面）の平坦度、固体撮像素子２表面（受光面側）の平坦度、及び固体撮像素子の実装精度に依存し、少なくとも従来のようにレンズと筐体の寸法精度による影響は無くなるため、従来と比較してより高いフォーカス精度が得られフォーカス調整（機構）が不要となる。
【００１６】
固体撮像素子２が実装された透明基板１０は、レンズ形成面を上方に向けた状態で筐体１５に収納されて接着剤により固定されており、係る筐体１５の上端部は、外部の光を固体撮像素子２の受光面２ａに入射させるため一部が開口されている。透明基板１０のレンズ形成面周縁部１０ｂは一部が平坦になっており、その部分を筐体１５内面の開口部１０ｃ周縁に当接させて接着剤で固定することにより筐体１５内部が封止された状態となっている。即ち、筐体１５の開口部１０ｃから固体撮像素子２の受光面２ａに至るまでの光路中の空間は透明基板１０により充填された状態となるため、従来のように光路中にゴミ等が入り込む可能性がなくなり良好な画像を得ることが可能となる。
【００１７】
尚、上記の構成では筐体１５を別体として透明基板１０と接着固定するようにしたが、従来のように金型を用いてインサートモールド成形しても良い。但し、材質によっては透明基板１０やＦＰＣ１４がモールド時の熱により変形する恐れがあるので注意が必要である。
【００１８】
また、透明基板１０のレンズ形成面もしくは固体撮像素子実装面に赤外線遮断膜（不図示）を蒸着しておけば、赤外線カットフィルタを別部材として設けることなく赤外線遮断機能を持たせることも可能である。
【００１９】
このように本発明の固体撮像装置では透明基板にレンズとしての機能を持たせて一体的に形成してあるため、レンズを別部材として組み込む必要がなくなり生産性が向上すると共に、それに伴い大規模な製造設備が不要となるため、固体撮像装置の低コスト化が可能となる。
【００２０】
尚、本実施例では透明基板に一体形成したレンズを凸レンズとしたが、当然ながら凹レンズとして形成することも可能である。即ち、本発明の要旨は、透明基板にレンズとしての機能を持たせることであり、本発明の精神を逸脱しない範囲ではその他種々の形態をとり得る。
【図面の簡単な説明】
【００２１】
【図１】本発明による固体撮像装置の一実施形態を示す断面図（実施例）
【図２】透明基板を固体撮像素子実装面側から見た斜視図（実施例）
【図３】透明基板に固体撮像素子をフェースダウン実装した状態を示す側面図（実施例）
【図４】従来の固体撮像装置の概略的な構成を示す断面図
【符号の説明】
【００２２】
１    透明基板
２    固体撮像素子
２ａ  受光面
３    リード
４    レンズホルダ（筐体）
４ａ  凹部
５    レンズ
６    熱硬化型樹脂
１０    透明基板
１０ａ  レンズ
１０ｂ  レンズ形成面周縁部
１０ｃ  開口部
１１    導電パターン
１２    メッキバンプ
１３    ＡＣＦ（異方性導電フィルム）
１４    ＦＰＣ（可撓性基板）
１５    筐体
【図１】
2006013791.tif 000003
【図２】
2006013791.tif 000004
【図３】
2006013791.tif 000005
【図４】
2006013791.tif 000006